(57)【要約】【課題】小型で良好な光学性能を有する画像観察装置を提供する。【解決手段】画像観察装置１４は、画像を表示する画像表示ユニット３３，３５，３６と、該画像表示ユニットが固定された第１の部材２５と、観察光学系２０〜２２を保持し、光軸方向において第１の部材に対して格納される格納位置と第１の部材に対して突出する突出位置とに移動可能な第２の部材３２と、第１の部材により保持され、第２の部材に設けられたガイド穴部３２ｃを光軸方向に貫通するガイドバー２６とを有する。第２の部材は、観察光学系を収容する鏡筒部３２ａと該鏡筒部よりも光軸方向に直交する方向における外側に張り出した張出部３２ｂとを有し、該張出部にガイド穴部が設けられている。第２の部材が格納位置にあるときに、張出部と画像表示ユニットの一部とが光軸方向に直交する方向において重なり合う。【選択図】図７
2020056941.tif 000002
【特許請求の範囲】
【請求項１】
画像を表示する画像表示ユニットと、
該画像表示ユニットが固定された第１の部材と、
観察光学系を保持し、前記観察光学系の光軸方向において前記第１の部材に対して格納される格納位置と前記第１の部材に対して突出する突出位置とに移動可能な第２の部材と、
前記第１の部材により保持され、前記第２の部材に設けられたガイド穴部を前記光軸方向に貫通するガイドバーとを有し、
前記第２の部材は、前記観察光学系を収容する鏡筒部と該鏡筒部よりも前記光軸方向に直交する方向における外側に張り出した張出部とを有し、該張出部に前記ガイド穴部が設けられており、
前記第２の部材が前記格納位置にあるときに、前記張出部と前記画像表示ユニットの一部とが前記光軸方向に直交する方向において重なり合うことを特徴とする画像観察装置。
【請求項２】
前記画像表示ユニットは、表示素子と、該表示素子の表示面を覆う透光性防塵部材とを含み、
前記画像表示ユニットの前記一部は、前記透光性防塵部材であることを特徴とする請求項１に記載の画像観察装置。
【請求項３】
前記画像表示ユニットは、前記表示素子を保持する表示素子ホルダを有し、
該表示素子ホルダは、前記表示素子を保持する部分よりも前記光軸方向における観察光学系側に突出する凸部を有し、
前記透光性防塵部材は前記凸部に設けられているとともに、
前記一部は、前記凸部であることを特徴とする請求項２に記載の画像観察装置。
【請求項４】
前記光軸方向から見たときに、前記第２の部材の内周部が、前記画像表示ユニットの外周よりも前記光軸方向に直交する方向における内側に位置することを特徴とする請求項１から３のいずれか一項に記載の画像観察装置。
【請求項５】
前記光軸方向から見たときに、前記ガイドバーが、前記画像表示ユニットの外周よりも前記光軸方向に直交する方向の内側に配置されていることを特徴とする請求項１から４のいずれか一項に記載の画像観察装置。
【請求項６】
前記第２の部材は、前記観察光学系を該第２の部材に対して前記光軸方向に移動させて視度調整を行う機構を介して前記観察光学系を保持していることを特徴とする請求項１から５のいずれか一項に記載の画像観察装置。
【請求項７】
前記張出部の外周部に、前記第１の部材の内周面に接触する封止部材が設けられていることを特徴とする請求項１から６のいずれか一項に記載の画像観察装置。
【請求項８】
前記張出部は、前記第２の部材のうち前記光軸方向における最も画像表示ユニット側に設けられていることを特徴とする請求項１から７のいずれか一項に記載の画像観察装置。
【請求項９】
撮像光学系により形成される被写体像を撮像する撮像素子と、
前記撮像素子の出力を用いて生成された画像を表示する画像表示ユニットを有する請求項１から８のいずれか一項に記載の画像観察装置とを有することを特徴とする撮像装置。
【発明の詳細な説明】
【技術分野】
【０００１】
本発明は、撮像装置に設けられる電子ビューファインダ等の画像観察装置に関する。
【背景技術】
【０００２】
電子ビューファインダには、撮像装置に対して格納する位置と突出する位置とに移動可能としたものがある。特許文献１にて開示された電子ビューファインダでは、表示ユニットを保持する固定筒に穴部を設け、固定筒に対して移動可能な移動筒により保持されたガイドバーを上記穴部に嵌合させることで、移動筒の移動をガイドする。
【先行技術文献】
【特許文献】
【０００３】
【特許文献１】特許第３６７７９９１号公報
【発明の概要】
【発明が解決しようとする課題】
【０００４】
しかしながら、特許文献１にて開示された電子ビューファインダでは、ガイドバーと穴部との嵌合長を確保するために、ガイドバーを表示ユニットよりも外側に配置している。このため、電子ビューファインダが大型化する。
【０００５】
本発明は、小型で良好な光学性能を有する画像観察装置およびこれを有する撮像装置を提供する。
【課題を解決するための手段】
【０００６】
本発明の一側面としての画像観察装置は、画像を表示する画像表示ユニットと、該画像表示ユニットが固定された第１の部材と、観察光学系を保持し、該観察光学系の光軸方向において第１の部材に対して格納される格納位置と第１の部材に対して突出する突出位置とに移動可能な第２の部材と、第１の部材により保持され、第２の部材に設けられたガイド穴部を光軸方向に貫通するガイドバーとを有する。第２の部材は、観察光学系を収容する鏡筒部と該鏡筒部よりも光軸方向に直交する方向における外側に張り出した張出部とを有し、該張出部にガイド穴部が設けられている。第２の部材が格納位置にあるときに、張出部と画像表示ユニットの一部とが光軸方向に直交する方向において重なり合うことを特徴とする。
なお、上記画像観察装置を備えた撮像装置も、本発明の他の一側面を構成する。
【発明の効果】
【０００７】
本発明によれば、小型で良好な光学性能を有する画像観察装置を実現することができ、これを撮像装置に用いることで、撮像装置の小型化を図ることができる。
【図面の簡単な説明】
【０００８】
【図１】本発明の実施例であるデジタルカメラの斜視図。
【図２】上記デジタルカメラの斜視図であって、ＥＶＦポップアップユニットがポップアップした状態を示す図。
【図３】上記デジタルカメラの斜視図であって、ＥＶＦポップアップユニットからＥＶＦユニットが突出した状態を示す図。
【図４】上記ＥＶＦユニットの斜視図。
【図５】上記ＥＶＦユニットの別の斜視図。
【図６】上記ＥＶＦユニットの分解斜視図。
【図７】格納状態にある上記ＥＶＦユニットの断面図。
【図８】使用状態にある上記記ＥＶＦユニットの断面図
【図９】格納状態にある上記ＥＶＦユニットの別の断面図。
【図１０】格納位置にある上記ＥＶＦユニットのさらに別の断面図。
【図１１】上記ＥＶＦユニットに用いられる表示ユニットの斜視図。
【図１２】上記ＥＶＦユニットにおける移動筒および表示パネルを光軸方向（＋Ｚ方向）から見た投影図。
【図１３】従来の表示ユニットの斜視図。
【発明を実施するための形態】
【０００９】
以下、本発明の実施例について図面を参照しながら説明する。
【００１０】
図１、図２および図３は、本発明の実施例である撮像装置としてのデジタルカメラ（以下、単にカメラという）１の外観を示している。カメラ１は、その本体（以下、カメラ本体という）１０の前面に撮像光学系を収容したレンズ鏡筒ユニット１３を有するとともに、カメラ本体１０の内部に撮像光学系により形成された被写体像を撮像する撮像素子５０を有する。以下の説明において、撮像光学系の光軸ＡＸが延びる光軸方向をＺ方向といい、Ｚ方向のうち被写体側をマイナス側（−Ｚ方向）または前側といい、その反対側をプラス側（＋Ｚ方向）または後側という。また、それぞれＺ方向に直交する水平方向と上下方向をＸ方向とＹ方向という。
【００１１】
またカメラ１は、カメラ本体１０に対して格納およびポップアップが可能なフラッシュユニット１１を有する。さらにカメラ１は、カメラ本体１０に対して格納およびポップアップが可能な電子ビューファインダ（ＥＶＦ）ポップアップユニット１２を有する。図１は、ＥＶＦポップアップユニット１２がカメラ本体１０内に格納された状態を示し、図２はＥＶＦポップアップユニット１２がカメラ本体１０からポップアップした状態を示している。図２および図３に示すように、ＥＶＦポップアップユニット１２は、そのポップアップ部１２ａに対して−Ｚ方向に格納されたり＋Ｚ方向に引き出されたりすることが可能な画像観察装置としての電子ビューファインダ（ＥＶＦ）ユニット１４を保持している。
【００１２】
以下の説明において、図２および図３に示す状態（位置）をそれぞれ、ＥＶＦユニット１４の格納状態（格納位置）および使用状態（突出位置）という。
【００１３】
図４はＥＶＦユニット１４の格納状態での外観を、図５はＥＶＦユニット１４の使用状態での外観をそれぞれ示している。また図６は、ＥＶＦユニット１４を分解して示している。また図７はＥＶＦユニット１４の格納状態での側方（Ｘ方向）から見た断面を、図８はＥＶＦユニット１４の使用状態での側方から見た断面を示している。また図９はＥＶＦユニット１４の格納状態での断面であって後述するガイドバーの位置での上方（Ｙ方向）から見た断面を示し、図１０はＥＶＦユニット１４の格納状態での断面であって後述するボールの位置での側方から見た断面を示している。
【００１４】
ＥＶＦユニット１４は、第１の部材としての固定筒２５と、第２の部材としての移動筒３２と、第３の部材としてのレンズホルダ２３とを有する。固定筒２５は、図２および図３に示したＥＶＦポップアップユニット１２のポップアップ部１２ａ内に固定される。移動筒３２は、固定筒２５の内側に配置され、該固定筒２５に対してＺ方向（第１の方向）にて格納位置（図７、図９および図１０）と突出位置（図８）とに移動が可能である。レンズホルダ２３は、移動筒３２とともに固定筒２５に対してＺ方向に移動可能であり、レンズカバー１９と係合して、第１のレンズ２２、マスク２１および第２のレンズ２０により構成される観察光学系としての接眼光学系を保持する。すなわち、移動筒３２は、レンズホルダ２３および後述する視度調整機構を介して接眼光学系を保持する。
【００１５】
固定筒２５の後端には、表示素子ホルダとしてのパネルカバー３３が取り付けられる（固定される）。固定筒２５の前端部における上側左右の部分とパネルカバー３３の上側左右の部分とで、Ｚ方向に延びる２本のガイドバー２６の前端と後端を保持している。移動筒３２は、レンズホルダ２３を収容する鏡筒部３２ａと、該鏡筒部３２ａよりもＺ方向に直交するＸおよびＹ方向（第２の方向）における外側に張り出した張出部３２ｂとを有する。張出部３２ｂの上側左右の２箇所にはガイド穴部３２ｃが設けられており、それぞれのガイド穴部３２ｃには上記ガイドバー２６が貫通している。このため、移動筒３２は、ガイドバー２６によってＺ方向に直進ガイドされる。ガイドバー２６が一体に固定された固定筒２５とパネルカバー３３とにより両持ち支持されているため、移動筒３２を精度良く（ＸおよびＹ方向にがたなく）移動させることができる。
【００１６】
移動筒３２の前端には第４の部材としての接眼部材１６がスナップフィットによって取り付けられる。主として移動筒３２、接眼部材１６、レンズホルダ２３および接眼光学系により接眼ユニットが構成される。接眼ユニットは、固定筒２５に対してＺ方向における格納位置（図４）と突出位置（図５）との間で移動可能である。
【００１７】
ユーザは、接眼ユニットを突出位置に引き出したＥＶＦユニット１４の使用状態において、ＥＶＦユニット１４の内部に設けられた表示パネル（これについては後述する）に表示されるファインダ画像を観察することができる。
【００１８】
固定筒２５の左右の内側面部のそれぞれにはボール穴部３９が設けられ、移動筒３２の鏡筒部３２ａにおける左右の外側面部にはそれぞれボール溝部４０が設けられている。各ボール穴部３９は、ボール３０を保持する。各ボール溝部４０には、移動筒３２が格納位置にあるときにボール３０が嵌り込む第１の凹部４０ａと、移動筒３２が突出位置にあるときにボール３０が嵌り込む第２の凹部４０ｂと、第１および第２の凹部４０ａ，４０ｂの間でＺ方向に延びる中間溝部４０ｃとが設けられている。２つのボール穴部３９によりそれぞれ保持された２つのボール３０は、固定筒２５の左右の外側面部にそれぞれ取り付けられた板ばね３０によってボール溝部４０に向かって付勢される。板ばね３０によって付勢されたボール３０が第１の凹部４０ａに嵌り込むことで移動筒３２（接眼ユニット）が格納位置にて保持され、第２の凹部４０ｂに嵌り込むことで接眼ユニットが突出位置にて保持される。接眼ユニットが格納位置と突出位置との間でＺ方向に移動するときは、ボール３０は中間溝部４０ｃの移動に伴ってボール穴部３９内で回転する。
【００１９】
また、移動筒３２の張出部３２ｂの外周部には、リング状のシリコーンゴム（封止部材）３８が嵌め込まれている。シリコーンゴム３８は、固定筒２５の内周面に接触して、張出部３２ｂと固定筒２５の内周面との間の隙間を塞ぐ。移動筒３２が固定筒２５に対してＺ方向に移動すると、シリコーンゴム３８は固定筒２５の内周面に対して摺動し、上記隙間を塞いだ状態を維持する。これにより、外部からの塵埃が上記隙間を通って移動筒３２の内部に入り込んだり、後述するカバーガラスに付着したりすることを回避することができる。
【００２０】
移動筒３２における鏡筒部３２ａの内周部には、レンズホルダ２３をＺ方向に直進ガイドするためのガイド溝部が設けられている。また移動筒３２における鏡筒部３２ａの上部外側には視度調整レバー２８が配置され、鏡筒部３２ａの内側にはカム２７が配置されている。視度調整レバー２８とカム２７とは鏡筒部３２ａに形成された穴部３２ｄを通して一体回転可能に連結されており、視度調整レバー２８を回転させることでカム２７も回転する。なお、視度調整レバー２８の下面部に回転軸回りに設けられた環状の凹部には、鏡筒部３２ａの外面に接触して視度調整レバー２８の回転とともに該外面に対して摺動するＯリング２９が嵌め込まれている。
【００２１】
一方、レンズホルダ２３には、カム２７に当接するカムフォロア３７が設けられている。移動筒３２の前端には第４の部材としての接眼部材１６がスナップフィットによって取り付けられており、該接眼部材１６とレンズホルダ２３との間には、カムフォロワ３７をカム２７に対して付勢するばね１８が配置されている。ユーザが視度調整レバー２８を回転操作してカム２７を回転させると、カムフォロワ３７を介してレンズホルダ２３がＺ方向に移動する。これにより、ユーザの視力に合わせて接眼光学系を移動させて視度調整を行うことができる。視度調整レバー２８、カム２７およびカムフォロワ３７により視度調整機構が構成される。
【００２２】
視度調整レバー２８は、接眼ユニットが突出位置にあるＥＶＦユニット１４の使用状態でのみユーザにより回転操作可能である。これにより、視度がユーザが知らない間に変更されることを避けることができる。
【００２３】
固定筒２５には、スイッチ２４が設けられている。スイッチ２４は、接眼ユニットが突出位置にあるか格納位置にあるか（ＥＶＦユニット１４が格納状態にあるか使用状態にあるか）を検出するために設けられている。
【００２４】
パネルカバー３３は、表示素子としての表示パネル３６を保持する。表示パネル３６は、撮像素子５０の出力を用いて生成されたファインダ画像を表示する。接眼部材１６とパネルカバー３３には、ユーザが表示パネル３６に表示された画像を観察するための開口部が設けられている。接眼部材１６の開口部には、外部から塵埃が入り込んで接眼光学系に付着することを防止するための透明の接眼ガラス１５が取り付けられている。パネルカバー３３の開口部には、外部からの塵埃が表示パネル３６の表示面に付着することを防止するために該表示面を覆う透光性防塵部材としての防塵ガラス３５が取り付けられている。パネルカバー３３、表示パネル３６および防塵ガラス３５により、図１１に示す表示パネルユニット（画像表示ユニット）４４が構成される。表示パネル３６からはフレキシブル基板３６ａが延出している。
【００２５】
このようにＥＶＦユニット１４を構成することで、表示パネル３６から接眼ガラス１５までの間の空間を、その外部からの塵埃が入らないように密閉することが可能となる。また、パネルカバー３３には、通気用の開口部３３ａが設けられており、該開口部３３ａは、通気シート３４で覆われている。開口部３３ａおよび通気シート３４は、ユーザが接眼ユニットを引き出したり格納したりして固定筒２５に対して移動させる際にシリコーンゴム３８により密閉された空間の圧力が急激に変化して微小な隙間から塵埃を含んだ空気が出入りしないようにするために設けられている。
【００２６】
本実施例の接眼ユニットは、固定筒２５に対してＺ方向に一体移動可能な３つの部材として、移動筒３２、接眼部材１６およびレンズホルダ２３を含む。移動筒３２において、シリコーンゴム３８が設けられた張出部３２ｂは、移動筒３２における後端（最も画像表示ユニット側）に設けられている。このような位置に張出部３２ｂを設けることで、図８に示すように、接眼ユニットを固定筒２５に対して引き出してＥＶＦユニット１４を使用状態としたときの表示パネル３６の表示面から接眼ガラス１５までの光学全長を最も長くすることができる。これにより、ＥＶＦユニット１４の光学性能の向上させることができる。
【００２７】
またパネルカバー３３は、図７および図１１に示すように、表示パネル３６を保持する後端部よりも前方（観察光学系側）に突出した凸部３３ｂを有し、該凸部３３ｂの前端に形成された前述した開口部に防塵ガラス３５が設けられている。図７に示すＥＶＦユニット１４の格納状態では、移動筒３２の張出部３２ｂとパネルカバー３３の凸部３３ｂとがＺ方向における長さαだけＹ（およびＸ）方向にて重なり合っている。言い換えれば、移動筒３２の張出部３２ｂと表示パネルユニットのうち防塵ガラス３５がＹ（およびＸ）方向にて重なり合っている。さらに言い換えれば、凸部３３ｂの周囲に移動筒３２の一部が配置される。このように構成することで、ＥＶＦユニット１４を長さαだけＺ方向にて小型化することができる。
【００２８】
図１３は従来の画像表示ユニット４４′の外観を示している。従来の画像表示ユニット４４′では、パネルカバー３３′に本実施例の凸部３３ｂのような部分が設けられておらず、防塵ガラス３５′回りの形状がフラットである。このため、パネルカバー３３′と移動筒とをＹ（およびＸ）方向にて重なり合うように配置することができない。
【００２９】
また図１２は、本実施例のＥＶＦユニット１４のうち＋Ｚ方向から見た移動筒３２と表示パネル３６を示している。この＋Ｚ方向視において、移動筒３２（鏡筒部３２ａ）の内周部３２ｅは、表示パネル３６（画像表示ユニット４４）の外周３６ｂよりもＸおよびＹ方向における内側に位置する。これにより、接眼ユニットをＸおよびＹ方向にて小型化することができる。
【００３０】
さらに図１２に示すように、＋Ｚ方向視において、移動筒３２の張出部３２ｂに設けられたガイド穴部３２ｃ（つまりはガイドバー２６）は、表示パネル３６（画像表示ユニット４４）の外周３６ｂよりもＸおよびＹ方向における内側に位置する。これにより、ＥＶＦユニット１４をＸおよびＹ方向にて小型化することができる。
【００３１】
以上説明したように、本実施例によれば、Ｚ方向とＸおよびＹ方向とのそれぞれで小型化され、かつ光学性能が高いＥＶＦユニット１４を実現することができ、これを搭載したカメラ１のより小型化に有効である。
【００３２】
以上説明した各実施例は代表的な例にすぎず、本発明の実施に際しては、各実施例に対して種々の変形や変更が可能である。
【符号の説明】
【００３３】
１０  デジタルカメラ
１４  電子ビューファインダユニット
２０  第２のレンズ
２１  マスク
２２  第１のレンズ
２３  レンズホルダ（第３の部材）
２４  スイッチ
２５  固定筒（第１の部材）
２６  ガイドバー
３２  移動筒（第２の部材）
３２ａ  鏡筒部
３２ｂ  張出部
３２ｃ  ガイド穴部
３３  パネルカバー
３３ｂ  凸部
３６  表示パネル
４４  画像表示ユニット
【図１】
2020056941.tif 000003
【図２】
2020056941.tif 000004
【図３】
2020056941.tif 000005
【図４】
2020056941.tif 000006
【図５】
2020056941.tif 000007
【図６】
2020056941.tif 000008
【図７】
2020056941.tif 000009
【図８】
2020056941.tif 000010
【図９】
2020056941.tif 000011
【図１０】
2020056941.tif 000012
【図１１】
2020056941.tif 000013
【図１２】
2020056941.tif 000014
【図１３】
2020056941.tif 000015